(57)【要約】【課題】高速でカットシートを給送するとき、材料が互いに付着して、複数給送となることを防止する媒体スタックシート・フラッファ装置を提供する。【解決手段】第１のフラッファアパーチャパターンは、２つの個々のアパーチャ１１０及びアパーチャ１２０を含む。アパーチャプレートがアパーチャプレート軸１０６の周りを回転するに伴い、個々のアパーチャは、瞬間的にフラッファのジェット６０に向けられて、プレナム流２００が瞬間的にアパーチャ（１１０又は１２０）を通り抜けてフラッファのジェット６０に入ることを可能にし、その結果、瞬間的媒体スタック・フラッファのジェット流３００を形成する。フラッファのジェット６０は、次いで、媒体スタックの外方縁部、表面すなわち側面８のように、媒体スタック２に含まれる任意の１つ又はそれ以上の媒体スタック側面５、６、７、８に瞬間的媒体スタック・フラッファのジェット流３００を与える。【選択図】図１
2010006611.tif 000002
【特許請求の範囲】
【請求項１】
１つの方法により、媒体スタックシートをフラッフするように配置された媒体処理デバイスであって、前記方法は、
各々のアパーチャが、含まれたアパーチャプレート軸から対応する半径方向距離に配置された複数のアパーチャを含むアパーチャプレートにプレナム流を与え、
フラッファのジェットに第１のアパーチャを向けるように前記アパーチャプレート軸の周りで前記アパーチャプレートを回転させて、媒体スタック・フラッファのジェット流を形成し、
含まれた媒体スタックの媒体スタック側面のシート縁部に結果として生じる第１の媒体スタック・フラッファのジェット流を与えて、前記フラッファのジェットに第２のアパーチャを向けるように前記アパーチャプレートを回転させ、第２のフラッファのジェット流を形成し、
前記媒体スタック側面のシート縁部に前記第２の媒体スタック・フラッファのジェット流を与える、
ステップを含み、前記第１アパーチャは、前記アパーチャプレート軸から第１の半径方向距離に配置されており、前記第２アパーチャは、前記アパーチャプレート軸から第２の半径方向距離に配置されており、前記第１の半径方向距離は前記第２の半径方向距離と等しくないことを特徴とする媒体処理デバイス。
【請求項２】
印刷機、コピー機、マーキングデバイス及びファクシミリ機のいずれかを含む画像形成デバイスを含むことを特徴とする請求項１に記載の媒体処理デバイス。
【請求項３】
各々のアパーチャが、含まれたアパーチャプレート軸から対応する半径方向距離に配置された複数のアパーチャを含むアパーチャプレートにプレナム流を与え、
フラッファのジェットに第１のアパーチャを向けるように前記アパーチャプレート軸の周りで前記アパーチャプレートを回転させて、媒体スタック・フラッファのジェット流を形成し、
含まれた媒体スタックの媒体スタック側面のシート縁部に結果として生じる第１の媒体スタック・フラッファのジェット流を与えて、前記フラッファのジェットに第２のアパーチャを向けるように前記アパーチャプレートを回転させ、第２のフラッファのジェット流を形成し、
前記媒体スタック側面のシート縁部に前記第２の媒体スタック・フラッファのジェット流を与える、
ステップを含み、前記第１アパーチャは、前記アパーチャプレート軸から第１の半径方向距離に配置されており、前記第２アパーチャは、前記アパーチャプレート軸から第２の半径方向距離に配置されており、前記第１の半径方向距離は前記第２の半径方向距離と等しくないことを特徴とする媒体スタックシート・フラッファ方法。
【請求項４】
前記方法は、印刷機、コピー機、マーキングデバイス及びファクシミリ機のいずれかを含む画像形成デバイスを用いて形成されることを特徴とする請求項３に記載の媒体スタック・フラッファ方法。
【発明の詳細な説明】
【技術分野】
【０００１】
本発明は、媒体スタックシート・フラッファ方法及び装置、及びこれを用いた配置された媒体処理デバイスに関する。
【背景技術】
【０００２】
高速でカットシートを給送するとき、材料が互いに付着して、複数給送となって機械が停止することが多い。
【発明の概要】
【発明が解決しようとする課題】
【０００３】
結果として、以下に説明される媒体スタックシート・フラッファ方法及び装置、及びこれが配置された媒体処理デバイスが必要となる。
【課題を解決するための手段】
【０００４】
第１の態様において、複数のアパーチャを含むアパーチャプレートにプレナム流を与え、一連の個々のアパーチャをフラッファのジェットに向けるようにアパーチャプレートを繰り返し位置決めして、媒体スタック・フラッファのジェット流を形成するように一連の瞬間的なジェット流を形成し、複数の媒体スタックシートに媒体スタック・フラッファのジェット流を与えるステップを含む、媒体スタックシート・フラッファ方法が説明されている。
【０００５】
別の態様においては、１つの方法により、媒体スタックシートをフラッフするように配置された媒体処理デバイスであって、この方法は、各々のアパーチャが、含まれたアパーチャプレート軸から対応する半径方向距離に配置された複数のアパーチャを含むアパーチャプレートにプレナム流を与え、フラッファのジェットに第１のアパーチャを向けるようにアパーチャプレート軸の周りでアパーチャプレートを回転させて、媒体スタック・フラッファのジェット流を形成し、含まれた媒体スタックの媒体スタック側面のシート縁部に結果として生じる第１の媒体スタック・フラッファのジェット流を与えて、フラッファのジェットに第２のアパーチャを向けるようにアパーチャプレートを回転させ、第２のフラッファのジェット流を形成し、媒体スタック側面のシート縁部に第２の媒体スタック・フラッファのジェット流を与える、ステップを含み、第１アパーチャは、アパーチャプレート軸から第１の半径方向距離に配置されており、第２アパーチャは、アパーチャプレート軸から第２の半径方向距離に配置されており、第１の半径方向距離は第２の半径方向距離と等しくない媒体処理デバイスが提供される。
【０００６】
別の態様においては、各々のアパーチャが、含まれたアパーチャプレート軸から対応する半径方向距離に配置された複数のアパーチャを含むアパーチャプレートにプレナム流を与え、フラッファのジェットに第１のアパーチャを向けるようにアパーチャプレート軸の周りでアパーチャプレートを回転させて、媒体スタック・フラッファのジェット流を形成し、含まれた媒体スタックの媒体スタック側面のシート縁部に結果として生じる第１の媒体スタック・フラッファのジェット流を与えて、フラッファのジェットに第２のアパーチャを向けるようにアパーチャプレートを回転させ、第２のフラッファのジェット流を形成し、媒体スタック側面のシート縁部に第２の媒体スタック・フラッファのジェット流を与える、ステップを含み、第１アパーチャは、アパーチャプレート軸から第１の半径方向距離に配置されており、第２アパーチャは、アパーチャプレート軸から第２の半径方向距離に配置されており、第１の半径方向距離は第２の半径方向距離と等しくない、媒体スタックシート・フラッファ方法が提供される。
【０００７】
別の態様においては、１つの方法により、媒体スタックシートをフラッフするように配置された媒体処理デバイスが提供されており、この方法は、複数のアパーチャを含むアパーチャプレートにプレナム流を与え、第１のアパーチャをフラッファのジェットに向けるようにアパーチャプレートを位置決めして、媒体スタック・フラッファのジェット流を形成し、含まれた媒体スタックの媒体スタック側面のシート縁部に結果として生じる第１の媒体スタック・フラッファのジェット流を与え、次いでフラッファのジェットに第２のアパーチャを向けるようにアパーチャプレートを再度位置決めして、第２のフラッファのジェット流を形成し、媒体スタック側面のシート縁部に第２の媒体スタック・フラッファのジェット流を与えるステップを含み、第２の媒体スタック・フラッファのジェット流は、第１のフラッファのジェット流より上か又は下に配置されている。
【図面の簡単な説明】
【０００８】
【図１】媒体スタック２に含まれる媒体シートをフラッフさせるために配置された媒体スタックシート・フラッファ手段１０を示す。可動アパーチャプレート１００は、１つ又はそれ以上のパターンで配置されたフラッファアパーチャを含む。第１のフラッファアパーチャパターンは、２つのアパーチャ１１０及び１２０を含む。さらに、基準線４００−４００’が示されている。
【図２】図１の媒体スタックシート・フラッファ手段１０のさらに別の図である。
【図３】図１の媒体スタックシート・フラッファ手段１０のさらに別の図である。
【図４】図１から図３のアパーチャプレート１００との関連で、第２のフラッファアパーチャパターンを示す。
【図５】図４の第２のフラッファアパーチャパターンのさらに別の図である。
【図６】図１から図３のアパーチャプレート１００との関連で、第３のフラッファアパーチャパターンを示す。
【図７】図１から図３のアパーチャプレート１００との関連で、第４のフラッファアパーチャパターンを示す。
【図８】図１の媒体スタックシート・フラッファ手段１０が配置された媒体処理デバイス５００を示す。
【発明を実施するための形態】
【０００９】
簡潔に言えば、媒体スタックシートの媒体スタック・フラッファのジェット流は、媒体スタック内で第１の複数の媒体スタックシートに与えられる。媒体スタックシートの媒体スタック・フラッファのジェット流は次いで、媒体スタック内で第２の複数の媒体スタックシートに与えられる。第２の複数の媒体スタックシートは、第１の複数の媒体スタックシートより上か又は下に配置されている。同様に、一連の瞬間的なジェット流は、媒体スタックシート・フラッファのジェット流を形成し、これは次いで媒体スタック内で複数の媒体スタックシートに与えられる。
【００１０】
図１は、媒体スタック２をフラッフするように配置された媒体スタックシート・フラッファ手段１０を示している。さらに、下流側又は媒体処理通路すなわち経路１が示される。図のように、媒体スタック２は、媒体スタック上縁部すなわち表面３と、媒体スタック底縁部すなわち表面４と、媒体スタック前縁部、表面すなわち側面５と、媒体スタック後縁部、表面すなわち側面６と、媒体スタック内方縁部、表面すなわち側面７と、媒体スタック外方縁部、表面すなわち側面８とを含む。フラッファ手段１０は、プレナム流２００をプレナム５０に与えるために、プレナム空気流手段２０を含む。フラッファアパーチャパターン内に配置された１つ又はそれ以上のフラッファアパーチャを含む可動アパーチャプレート１００は、プレナム流と隣接するフラッファのジェット６０との間に位置している。
【００１１】
１つの実施形態において、プレナム空気流手段２０は、例えば加圧空気送風機のような、加圧空気源を含む。
【００１２】
図のように、第１のフラッファアパーチャパターンは、２つの個々のアパーチャ１１０及び１２０を含むことが示されている。アパーチャプレートがアパーチャプレート軸１０６の周りを回転する９に伴い、個々のアパーチャ（１１０又は１２０）の各々は、瞬間的にフラッファのジェット６０に向けられて、プレナム流２００が瞬間的にアパーチャ（１１０又は１２０）を通り抜けてフラッファのジェット６０に入ることを可能にし、その結果、瞬間的媒体スタック・フラッファのジェット流３００を形成する。フラッファのジェット６０は、次いで、例えば、示される媒体スタックの外方縁部、表面すなわち側面８のように、媒体スタック２に含まれる任意の１つ又はそれ以上の媒体スタック側面５、６、７、８に瞬間的媒体スタック・フラッファのジェット流３００を与える。
【００１３】
図１を参照すると、種々の実施形態において、フラッファアパーチャパターンは、全てのフラッファアパーチャが、実質上同じで同一のサイズ、寸法及び断面積を有する、複数のフラッファアパーチャを含む。
【００１４】
また、種々の実施形態において、フラッファアパーチャパターンは、少なくとも１つのフラッファアパーチャが、実質上異なっており、同一ではないサイズ、寸法及び断面積を有する、複数のフラッファアパーチャを含む。
【００１５】
さらに図１を参照すると、種々の実施形態において、フラッファアパーチャパターンは、全てのフラッファアパーチャが、実質的に等しく、同一の幾何学的図形を有する、複数のフラッファアパーチャを含む。
【００１６】
同様に、種々の実施形態において、フラッファアパーチャパターンは、少なくとも１つのフラッファアパーチャが、実質的に異なっており、同一ではない幾何学的図形を有する、複数のフラッファアパーチャを含む。
【００１７】
さらに図１を参照すると、種々の実施形態において、フラッファアパーチャパターンは、全てのフラッファアパーチャが、含まれたアパーチャプレート軸１０６から実質的に同じ、同一の半径方向距離に配置されている複数のフラッファアパーチャを含み、従ってその結果、媒体スタックシートに関して通常固定された位置で媒体スタック・フラッファのジェット流３００を与える。
【００１８】
さらに、種々の実施形態において、フラッファアパーチャパターンは、少なくとも１つのフラッファアパーチャが、アパーチャプレート軸１０６から実質的に異なっており、同一ではない半径方向距離に配置されている複数のフラッファアパーチャを含む。
【００１９】
さらに、図１を参照すると、種々の実施形態において、媒体スタックシート・フラッファ手段１０は、媒体スタック外方縁部、表面すなわち側面８に媒体スタック・フラッファのジェット流３００を与えるように配置されている。
【００２０】
さらに、種々の実施形態において、媒体スタックシート・フラッファ手段１０は、媒体スタック内方縁部、表面すなわち側面７に媒体スタック・フラッファのジェット流３００を与えるように配置されている。
【００２１】
さらに、種々の実施形態において、媒体スタックシート・フラッファ手段１０は、媒体スタック前縁部、表面又は側面５に媒体スタック・フラッファのジェット流３００を与えるように配置されている。
【００２２】
さらに、種々の実施形態において、媒体スタックシート・フラッファ手段１０は、媒体スタック後縁部、表面又は側面６に媒体スタック・フラッファのジェット流３００を与えるように配置されている。
【００２３】
さらに、種々の実施形態において、媒体スタックシート・フラッファ手段１０は、媒体スタック２内にある４つの媒体スタック縁部、表面すなわち側面５、６、７、８の任意の１つ又はそれ以上に媒体スタック・フラッファのジェット流３００を与えるように配置されている。
【００２４】
例えば、種々の実施形態において、媒体スタックシート・フラッファ手段１０は、ただ１つの及び従って同一のすなわち同じ媒体スタック前縁部、表面すなわち側面５、媒体スタック後縁部、表面すなわち側面６、媒体スタック内方縁部、表面すなわち側面７及び媒体スタック外方縁部、表面すなわち側面８に、複数（Ｎ）の媒体スタック・フラッファのジェット流３００を与えるように配置されている。
【００２５】
さらに、図１において、アパーチャプレート表面１０７に対して平行で、アパーチャプレート軸１０６と位置合わせされている基準線４００−４００’が示されている。
【００２６】
図２は、アパーチャプレート１００を含む図１の媒体スタックシート・フラッファ手段１０のさらに別の図である。図示されるように、アパーチャプレート１００が、「上方」アパーチャ１１０が瞬間的にフラッファのジェット６０に向くように配置されたとき、フラッファのジェット６０は、結果として生じる上方瞬間的媒体スタック・フラッファのジェット流３０１から３０２を、媒体スタック上部３にある又はその近くにある、対応する「上方」媒体シートの媒体スタック外方縁部すなわち側面８に与える。
【００２７】
図３は、「下方」アパーチャ１２０が瞬間的にフラッファのジェット６０に向くように、アパーチャプレート１００が方向９に回転された、図１の媒体スタックシート・フラッファ手段１０のさらに別の図である。次いで、フラッファのジェット６０は、結果として生じる下方瞬間的媒体スタック・フラッファのジェット流３０４から３０５を、媒体スタック上部３の真下に又は「下方」にある、対応する「下方」媒体シートの媒体スタック外方縁部すなわち側面８に与える。
【００２８】
ここで全体的に図２から図３を参照すると、上方アパーチャ１１０及び下方アパーチャ１２０を比較することによって、上方アパーチャ１１０はアパーチャプレート軸１０６から相対的により大きい、最大の又は「上方」半径方向距離に固定され、その結果対応する「上方」瞬間的媒体スタック・フラッファのジェット流３０１から３０２が、媒体スタック上部３にある又はその近くにある対応する「上方」媒体シートの媒体スタック外方縁部すなわち側面８に与えられることが分る。対照的に、さらに、下方アパーチャ１２０はアパーチャプレート軸１０６から相対的により小さい、最小の又は「下方」半径方向距離に固定され、その結果対応する相対的に「下方」の瞬間的媒体スタック・フラッファのジェット流３０４から３０５が、媒体スタック上部３より相対的に「下方」にある、対応する相対的に「下方」の媒体シートの媒体スタック外方縁部すなわち側面８に与えられることが分る。
【００２９】
図４は、図１の媒体スタックシート・フラッファ手段１０のアパーチャプレート１００に関連する第２のフラッファアパーチャパターンを示す。図示のように、図４は、基準線４００−４００’に沿ったアパーチャプレート１００のトップダウン「鳥瞰」図を示す。さらに、媒体スタック２、媒体スタック上部３、媒体スタック底部４、媒体スタック前縁部、表面すなわち側面５、媒体スタック外方縁部、表面すなわち側面８、フラッファのジェット６０及びフラッファのジェットハウジング６１が破線で示されている。図のように、１つの実施形態において、アパーチャプレート１００は、例示目的のために０度から９０度までの第１のアパーチャプレート領域１０１、９０度から１８０度までの第２のアパーチャプレート領域１０２、１８０度から２７０度までの第３のアパーチャプレート領域１０３及び２７０度から３６０度又は０度までの第４のアパーチャプレート領域１０４に分けられている円形プレートである。
【００３０】
さらに図４を参照すると、第２のフラッファアパーチャパターンは、図のようにアパーチャプレート領域１０１及び１０２内に配置され１１１、１１２、１１３、１１４、１１５、１１６、１１７として個々に示される複数の下行性アパーチャと共に図１から図３の上方アパーチャ１１０を含む。上方アパーチャ１１０は、プレート軸１０６から最大又は「最上」半径方向距離でアパーチャプレート１００内に配置されており、連続するアパーチャ１１１から１１７の各々は、プレート軸１０６から単調に減少する又は「下行性」の対応する半径方向距離に固定されている。したがって、上方アパーチャ１１０が瞬間的にフラッファのジェット６０に向けられるとき、対応する瞬間的媒体スタック・フラッファのジェット流３００、３０１から３０２は媒体スタック２の最上のシートに与えられる。さらに、連続する下行性アパーチャ１１１から１５７の各々が、瞬間的にフラッファのジェット６０に向けられるとき、対応する瞬間媒体スタック・フラッファのジェット流３００は媒体スタック２の下方シートに連続的に与えられる。これ故に、アパーチャプレート１００が方向９に動くにつれて、一連の個々のアパーチャ１１０、１１１、１１２、１１３、１１４、１１５、１１６、１１７及び１２０の各々は、連続的に瞬間的にフラッファのジェット６０に向けられ、次いで、プレナム流２００が、媒体スタック２において対応する媒体シートの外方縁部すなわち側面８に、対応する一連の単調に下降する又は下行性の個々の瞬間的媒体スタック・フラッファのジェット流３００を与えることを可能にする。
【００３１】
さらに図４を参照すると、第２のフラッファアパーチャパターンは、図のようにアパーチャプレート領域１０３及び１０４内に配置され１２１、１２２、１２３、１２４、１２５、１２６、１２７として個々に示される複数の上行性アパーチャと共に図１から図３の下方アパーチャ１２０をさらに含む。下方アパーチャ１２０は、プレート軸１０６から最小又は「最低の」半径方向距離でアパーチャプレート１００内に配置されており、連続するアパーチャ１２１から１２７の各々は、プレート軸１０６から単調に増加する又は「上行性」の対応する半径方向距離に固定されている。したがって、下方アパーチャ１２０が瞬間的にフラッファのジェット６８に向けられるとき、対応する瞬間的媒体スタック・フラッファのジェット流３００、３８４から３８５は、図１の媒体スタックシート・フラッファ手段１０によってフラッフされるそれら媒体シートの最低部に与えられる。さらに、連続する上行性アパーチャ１２１から１２７の各々が、瞬間的にフラッファのジェット６０に向けられるとき、対応する瞬間媒体スタック・フラッファのジェット流３００は媒体スタック２の上方シートに連続的に与えられる。これ故に、アパーチャプレート１００が方向９に動くにつれて、一連の個々のアパーチャ１２０、１２１、１２２、１２３、１２４、１２５、１２６、１２７及び１１０の各々は連続的に瞬間的にフラッファのジェット６０に向けられ、次いで、プレナム流２００が、媒体スタック２において対応する媒体シートの外方縁部すなわち側面８に、対応する一連の単調に上昇する又は上行性の個々の瞬間的媒体スタック・フラッファのジェット流３００を与えることを可能にする。
【００３２】
次に図５を参照すると、図４の第２のフラッファアパーチャパターンのさらに別の図が示されている。同様に、媒体スタック２、媒体スタック上部３、媒体スタック底部４、媒体スタック外方縁部、表面すなわち側面８及びフラッファのジェット６０が破線で示されている。上記で図４と関連して説明されるように、アパーチャプレート１００が方向９に移動するにつれて、一連の連続的に下行性のアパーチャ１１０、１１１、１１２、１１３、１１４、１１５、１１６、１１７及び１２０の各々は瞬間的にフラッファのジェット６０に向けられ、その結果、対応する一連の連続的に下行性の瞬間的媒体スタック・フラッファのジェット流３００は、媒体スタック２の対応する一連の連続的に下行性の又は低くなる媒体シートの外方縁部すなわち側面８に与えられることになる。その後、アパーチャプレート１００が方向９に移動を続けるにつれて、一連の連続的に上行性のアパーチャ１２０、１２１、１２２、１２３、１２４、１２５、１２６、１２７及び１１０の各々は瞬間的にフラッファのジェット６０に向けられ、その結果、対応する一連の連続的に上行性の瞬間的媒体スタック・フラッファのジェット流３００は、媒体スタック２の対応する一連の連続的に上行性の又は上昇する媒体シートの外方縁部すなわち側面８に与えられることになる。
【００３３】
次に図６を参照すると、図１の媒体スタックシート・フラッファ手段１０のアパーチャプレート１００に関連する第３のフラッファアパーチャパターンが示されている。さらに、媒体スタック２、媒体スタック上部３、媒体スタック底部４、媒体スタック外方縁部、表面すなわち側面８及びフラッファのジェット６０が破線で示されている。図のように第３のフラッファアパーチャパターンは、示されているアパーチャプレート領域１０１、１０２、１０３及び１０４内に配置され１３０、１３１、１３２、１３３、１３４、１３５、１３６、１３７、１３８及び１３９として個々に示される一連の連続的に下行性のアパーチャを含む。上記で図５に関連して、一連の連続的に下行性のアパーチャ１１０、１１１、１１２、１１３、１１４、１１５、１１６、１１７及び１２０について説明されたと同様に、アパーチャプレート１００が方向９へ移動するにつれて、一連の連続的な下行性のアパーチャ１３０、１３１、１３２、１３３、１３４、１３５、１３６、１３７、１３８及び１３９の各々は瞬間的にフラッファのジェット６０に向けられ、その結果、対応する一連の連続的に下行性の瞬間的媒体スタック・フラッファのジェット流３００は、媒体スタック２の対応する一連の連続的に下行性の又は低くなる媒体シートの外方縁部すなわち側面８に与えられることになる。
【００３４】
次に図７を参照すると、図１の媒体スタックシート・フラッファ手段１０のアパーチャプレート１００に関連する第４のフラッファアパーチャパターンが示されている。さらに、媒体スタック２、媒体スタック上部３、媒体スタック底部４、媒体スタック外方縁部、表面すなわち側面８及びフラッファのジェット６０が破線で示されている。図のように第４のフラッファアパーチャパターンは、示されているアパーチャプレート領域１０１、１０２、１０３及び１０４内に配置され１４０、１４１、１４２、１４３、１４４、１４５、１４６、１４７、１４８及び１４９として個々に示されている一連の連続的に上行性のアパーチャを含む。上記で図５に関連して、一連の連続的に上行性のアパーチャ１２０、１２１、１２２、１２３、１２４、１２５、１２６、１２７及び１１０について説明されたと同様に、アパーチャプレート３００が方向９へ移動するにつれて、一連の連続的に上行性のアパーチャ１４０、１４１、１４２、１４３、１４４、１４５、１４６、１４７、１４８及び１４９の各々は、瞬間的にフラッファのジェット６０に向けられ、その結果、対応する一連の連続的に上行性の瞬間的媒体スタック・フラッファのジェット流３００は、媒体スタック２の対応する一連の連続的に上行性の又は上昇する媒体シートの外方縁部すなわち側面８に提供されることになる。
【００３５】
図８は、図１の媒体スタックシート・フラッファ手段１０が配置された媒体処理デバイス５００を示している。１つの実施形態において、媒体処理デバイス５００は、例えば、印刷機、コピー機、マーキングデバイス及びファクシミリ機のいずれかのような、画像形成デバイス５００を含む。別の実施形態において、媒体処理デバイスは媒体シート給送機を含む。
【００３６】
要約すれば、本明細書で説明されるように、スタックシートを分離するためにフラッフ空気を連続的に流すのではなく、急速にパルス化される媒体スタック・フラッファのジェット流３００が用いられる。媒体スタック２に面するフラッファのジェットポート６０を通って媒体スタック２に隣接するプレナム５０から出る加圧空気は、媒体スタック２に空気３００の激しい流れを生成するために、ステッピング・モーター４０で制御された回転ゲートアパーチャプレート１００の手段によって急速にオンオフされ、それによって分離効果を増加させる。流れ３００の振動数、容積、及び位置は、変化する媒体の種類、重さ、及び環境要因にとって最良の結果をもたらすように回転ゲートアパーチャプレート１００の設計及びステッピング・モーター４０のスピードを通じてカスタマイズされる。図面と関連して本明細書において説明されるように、ステッピング・モーター４０によって制御される回転ゲートアパーチャプレート１００のフラッファアパーチャは、プレナム５０から出て紙供給源２に入る空気をパルス化するために、急速に開いたり閉じたりする。回転ゲートアパーチャプレート１００のスピードは変化させることができる。媒体スタック・フラッファのジェット流３００の容積は、回転ゲートアパーチャプレート１００の幾何学的形状によって制御される。各々のフラッファアパーチャポートは、同じ断面積、変化する面積、上下に変化するフラッファアパーチャポートの中心、及びこれらの選択肢の様々な組み合わせを含む可能性がある。
【符号の説明】
【００３７】
２：媒体スタック
１０：媒体スタックシート・フラッファ手段
２０：プレナム空気流手段
５０：プレナム
６０：フラッファのジェット
１００：可動アパーチャプレート
１１０、１２０：アパーチャ
２００：プレナム流
３００：瞬間的媒体スタック・フラッファのジェット流
【図１】
2010006611.tif 000003
【図２】
2010006611.tif 000004
【図３】
2010006611.tif 000005
【図４】
2010006611.tif 000006
【図５】
2010006611.tif 000007
【図６】
2010006611.tif 000008
【図７】
2010006611.tif 000009
【図８】
2010006611.tif 000010